(57)【特許請求の範囲】
【請求項１】
電子レンジ用包装袋であって、
１以上のフィルムの周縁部同士を熱溶着して袋状に形成された本体と、
前記本体の第２方向の幅にわたって設けられ、前記１以上のフィルムの一部によって合掌状に形成されたフラップと、を備え、
前記フラップがその内部に所定の幅をもつシール部を有し、
前記シール部が、蒸気抜きシール部と、前記蒸気抜きシール部から前記本体の前記第２方向の両端部まで延在する帯状シール部とを含み、
前記蒸気抜きシール部が、前記本体の中央部側に突出するように設けられ、前記帯状シール部から連続し先端部が切欠けられた第１のＶ字部と、前記第１のＶ字部の両斜辺から異なる角度で連続する第２のＶ字部とから構成される異形Ｖ字形状に形成され、
前記第１のＶ字部の開き角が前記第２のＶ字部の開き角より小さいことを特徴とする電子レンジ用包装袋。
【請求項２】
前記第１のＶ字部が鋭角の仮想先端部を有し、かつ、前記第２のＶ字部が鈍角の仮想先端部を有することを特徴とする請求項１に記載の電子レンジ用包装袋。
【請求項３】
前記第２のＶ字部が、前記第２のＶ字部の開き角を規定する一対の傾斜部と前記一対の傾斜部の先端同士を結ぶ直線部とからなる内側輪郭線を有し、前記一対の傾斜部と前記第１のＶ字部の両斜辺とが交差する位置において、他の部位よりも狭い幅を有することを特徴とする請求項１又は２に記載の電子レンジ用包装袋。
【請求項４】
前記第２のＶ字部が、前記内側輪郭線の直線部と平行な平角の外側輪郭線を有し、
前記外側輪郭線が、前記内側輪郭線の直線部よりも長く形成されることを特徴とする請求項３に記載の電子レンジ用包装袋。
【発明の詳細な説明】
【技術分野】
【０００１】
本発明は、電子レンジ用包装袋に関する。
【背景技術】
【０００２】
従来、フィルム製の電子レンジ用包装袋において、加熱による内部の蒸気圧上昇により、自動的にフィルムを部分的に剥離させて蒸気を抜く技術が提案されている（例えば、特許文献１参照）。
【０００３】
図６（ａ）は、特許文献１の従来の蒸気抜きシール部を模式的に示す平面図、（ｂ）は（ａ）のＣ部拡大図、（ｃ）は（ｂ）に示される蒸気抜きシール部が剥離した状態を示す図である。なお、図６において、ドット模様は密封された状態（熱溶着されている状態）を示す。
【０００４】
図６（ａ）に示される蒸気抜きシール部１００は、包装袋本体（図示省略）に形成したフラップ１０１に設けられる。図６（ｂ）に示すように、蒸気抜きシール部１００の外側輪郭線１０２は、一対の傾斜部１０２ａと、一対の傾斜部１０２ａの先端を結ぶ直線部１０２ｂとにより構成される。蒸気抜きシール部１００の内側輪郭線１０３は、一対の傾斜部１０３ａと、一対の傾斜部１０３ａの先端を結ぶ直線部１０３ｂとにより構成される。
【０００５】
包装袋本体に収容された内容物が電子レンジで加熱されて蒸気圧が上昇すると、内側輪郭線１０３の直線部１０３ｂに力が集中的に加わるため、内側輪郭線１０３の直線部１０３ｂからシールの剥離が始まり、この剥離は、外側輪郭線１０２の直線部１０２ｂを超えたときに停止する。その結果、外側輪郭線１０２の直線部１０２ｂの長さＬ４に応じた幅の蒸気口１０５（図６（ｃ）参照）が開口し、この蒸気口１０５を介して蒸気が外部に抜ける。
【０００６】
ところで、電子レンジ用包装袋には、沸点が１００℃以上（例えば、１２０〜１３０℃）のあんかけなどの食品を内容物として用いる場合がある。この場合、加熱時に蒸気圧が高まりにくいため、従来の蒸気口１０５の開口幅では十分に蒸気を排出することが困難であり、当該内容物の温度が高温のままで利用者が開封することとなる。
【先行技術文献】
【特許文献】
【０００７】
【特許文献１】国際公開第２０１３／１０００６０号
【発明の概要】
【発明が解決しようとする課題】
【０００８】
本発明は、このような事情に鑑みてなされたものであり、その目的は、内容物の沸点が高い場合であっても、蒸気を良好に排出可能な電子レンジ用包装袋を提供することにある。
【課題を解決するための手段】
【０００９】
このような目的を達成するため、本発明は、以下の構成によって把握される。
（１）本発明は、電子レンジ用包装袋であって、１以上のフィルムの周縁部同士を熱溶着して袋状に形成された本体と、前記本体の第１方向の中央部よりも外側に偏った位置に前記本体の第２方向の幅にわたって設けられ、前記１以上のフィルムの一部によって合掌状に形成されたフラップと、を備え、前記フラップがその内部に所定の幅をもつシール部を有し、前記シール部が、蒸気抜きシール部と、前記蒸気抜きシール部から前記本体の前記第２方向の両端部まで延在する帯状シール部とを含み、前記蒸気抜きシール部が、前記本体の前記中央部側に突出するように設けられ、前記帯状シール部から連続し先端部が切欠けられた第１のＶ字部と、前記第１のＶ字部の両斜辺から異なる角度で連続する第２のＶ字部とから構成される異形Ｖ字形状に形成されたことを特徴とする。
【００１０】
（２）本発明は、上記（１）の構成において、前記第１のＶ字部が鋭角の仮想先端部を有し、かつ、前記第２のＶ字部が鈍角の先端部を有することを特徴とする。
【００１１】
（３）本発明は、上記（１）又は（２）の構成において、前記第２のＶ字部が、鈍角平角の内側輪郭線を有し、前記第１のＶ字部と連続する位置において、他の部位よりも狭い幅を有することを特徴とする。
【００１２】
（４）本発明は、上記（３）の構成において、前記第２のＶ字部が、前記内側輪郭線の直線部と平行な平角の外側輪郭線を有し、前記外側輪郭線が、前記内側輪郭線の直線部よりも長く形成されることを特徴とする。
【発明の効果】
【００１３】
本発明によれば、内容物の沸点が高い場合であっても、蒸気を良好に排出可能な電子レンジ用包装袋を提供することができる。
【図面の簡単な説明】
【００１４】
【図１】本発明の実施形態に係る電子レンジ用包装袋の斜視図である。
【図２】図１のＡ−Ａ線断面図である。
【図３】（ａ）は実施形態に係る蒸気抜きシール部を模式的に示す平面図、（ｂ）は（ａ）のＢ部拡大図、（ｃ）は（ｂ）に示される蒸気抜きシール部が剥離した状態を示す図である。
【図４】電子レンジ用包装袋の作用説明図である。
【図５】電子レンジ用包装袋の他の例を説明する図であり、図２に対応して描いた図である。
【図６】（ａ）は従来の蒸気抜きシール部を模式的に示す平面図、（ｂ）は（ａ）のＣ部拡大図、（ｃ）は（ｂ）に示される蒸気抜きシール部が剥離した状態を示す図である。
【発明を実施するための形態】
【００１５】
（実施形態）
以下、添付図面を参照して、本発明を実施するための形態（以下、「実施形態」と称する。）について詳細に説明する。実施形態の説明の全体を通して同じ要素には同じ番号を付している。
【００１６】
（電子レンジ用包装袋の全体構成）
まず、実施形態に係る電子レンジ用包装袋１０の全体構成を図１、図２に基づいて説明する。
【００１７】
図１に示すように、電子レンジ用包装袋１０は、１以上のフィルム（この例では、矩形の表側の第１フィルム１１及び矩形の裏側の第２フィルム１２）の周縁部同士を熱溶着して袋状に形成した本体２０を備える。
【００１８】
第１フィルム１１及び第２フィルム１２の構成材料としては、フィルム同士が熱溶着可能な材料であれば、任意であり、例えば、通常の包装袋に用いられるヒートシ一ル性を有するプラスチックフィルムが適用可能である。プラスチックフィルムとしては、例えば、ヒートシール性を有する熱可塑性樹脂からなる単層のフィルムや、シート類、ヒートシール性を有する熱可塑性樹脂を他の熱可塑性樹脂等と積層した多層フィルムなどが挙げられる。また、ヒートシール性の良好な材料としては、例えば、公知の低密度ポリエチレン、線状低密度ポリエチレン、中密度ポリエチレン、高密度ポリエチレン、ポリプロピレン、プロピレン一エチレン共重合体、エチレン一酢酸ビニル共重合体、エチレン系不飽和カルボン酸あるいはその無水物でグラフト変性されたオレフィン樹脂等のオレフィン系樹脂、比較的低融点あるいは低軟化点のポリアミドあるいはコポリアミド樹脂、ポリエステルあるいはコポリエステル樹脂、ポリカーボネイト樹脂などが挙げられる。また、積層する他のプラスチック材料としては、各種バリアフイルムを使用することができる。なお、積層フィルムを用いる場合は、融点の低い樹脂などヒートシ一ル性の良好な熱可塑性樹脂層同士を内面側にして熱溶着することが好ましい。
【００１９】
本体２０は、内容物の充填時に底部となるエンドシール部１３と、内容物の充填時に上方側に向く熱溶着されていない開口部１５と、第１フィルム１１及び第２フィルム１２の側辺部同士を熱溶着してなる左右のサイドシール部１６と、を備える。また、電子レンジ用包装袋１０は、第１フィルム１１及び第２フィルム１２の間に形成され左右のサイドシール部１６及びエンドシール部１３に囲われる空間であって内容物を収容可能な収容部１７を備える。電子レンジ用包装袋１０では、開口部１５を上方側に向けた状態で、内容物を開口部１５から収容部１７に充填した後、開口部１５を熱溶着して密閉する。なお、第１フィルム１１及び第２フィルム１２には、商品に関する画像や文字などを表示した各種の表示部２１を印刷することができる。
【００２０】
図２に示すように、２枚のフィルムのうち一方のフィルム（ここでは、第１フィルム１１）は、左右のサイドシール部１６の間に形成されるフラップ１８を有する。
【００２１】
このフラップ１８は、サイドシール部１６の延在方向（本発明にいう「第１方向」に相当）の中央部よりも外側（エンドシール部１３側）に偏った位置に、エンドシール部１３の延在方向（本発明にいう「第２方向」に相当）の全幅にわたって設けられる。フラップ１８は、１以上のフィルムの一部（ここでは、第１フィルム１１の一部）によって合掌状に形成されており、折り重なる一対の平面部１８ａと、一対の平面部１８ａの上辺部同士を連結する折り返し部１８ｂと、一対の平面部１８ａの下辺部に形成され収容部１７に連通する連通部１８ｃとを有する。フラップ１８の長さｈ（折り返し部１８ｂから連通部１８ｃまでの距離に相当）は、適宜設定可能である。
【００２２】
図１に戻る。図１に示すように、フラップ１８は、その内部に所定の幅をもつシール部を有する。このシール部は、一対の平面部１８ａの左右の側辺部同士を熱溶着してなる左右の側辺シール部１８ｄと、電子レンジ用包装袋１０が加熱されたときに剥離可能な蒸気抜きシール部１８ｅと、蒸気抜きシール部１８ｅから左右の側辺シール部１８ｄまで延在する帯状シール部１８ｆとを含む。さらに、フラップ１８は、蒸気抜きシール部１８ｅと折り返し部１８ｂの間に設けられ、収容部１７における蒸気圧の上昇より蒸気抜きシール部１８ｅが剥離したときに蒸気抜きシール部１８ｅからの蒸気をフラップ１８の内部から外部に逃がす切り込み１８ｇを有する。図１では、切り込み１８ｇの一例として、蒸気抜きシール部１８ｅに沿って形成される半円状の切り込み１８ｇを示している。そして、平面部１８ａの左右の側辺部に位置する折り返し部１８ｂの左右両端部には、平面部１８ａの側辺部同士が熱溶着されない部分であって、収容部１７からの蒸気をフラップ１８の内部から外部に逃がす未シール部２３ａが形成される。
【００２３】
（帯状シール部１８ｆ、蒸気抜きシール部１８ｅの構成）
次に、帯状シール部１８ｆ及び蒸気抜きシール部１８ｅの構成を図３に基づいて説明する。図３（ａ）は帯状シール部１８ｆ及び蒸気抜きシール部１８ｅを模式的に示す平面図、（ｂ）は（ａ）のＢ部拡大図、（ｃ）は（ｂ）に示される蒸気抜きシール部が剥離した状態を示す図である。なお、ドット模様は、一対の平面部１８ａが熱溶着されている状態を示す。
【００２４】
図３（ａ）に示すように、帯状シール部１８ｆは、テーパ状に形成されており、蒸気抜きシール部１８ｅの開始点Ｐ１からフラップ１８の左右の端部に向かってシール幅が徐々に広がるように形成される（シール幅ｒ１＜シール幅ｒ２）。蒸気抜きシール部１８ｅは、本体２０の中央部側に突出するように設けられており、第１のＶ字部３０及び第２のＶ字部４０によって構成される異形Ｖ字形状に形成される。
【００２５】
図３（ｂ）に示すように、第１のＶ字部３０は、帯状シール部１８ｆから連続し先端部が切欠けられた形状に形成され、一対の斜辺３１と、両斜辺３１の内側輪郭線３２を延長した鋭角の仮想先端部３５とを有する。
【００２６】
第２のＶ字部４０は、第１のＶ字部３０の一対の斜辺３１から異なる角度で連続する部分であり、鈍角平角の内側輪郭線４１及び平角の外側輪郭線４２を有する。第２のＶ字部４０の内側輪郭線４１は、一対の斜辺３１の内側輪郭線３２と連なる一対の傾斜部４１ａと、一対の傾斜部４１ａの先端同士を結ぶ直線部４１ｂとからなり、第２のＶ字部４０は、一対の傾斜部４１ａを延長した鈍角の仮想先端部４３（本発明にいう「鈍角の先端部」の一例）を有する。第２のＶ字部４０の外側輪郭線４２は、直線部４１ｂと平行に形成される直線部４２ａからなる。この直線部４２ａは、一対の斜辺３１の外側輪郭線３３の先端同士を結ぶ。
【００２７】
さらに、第２のＶ字部４０は、第１のＶ字部３０と連続する位置（以下、「連続する位置Ｐ２」と称する）において、他の部位よりも狭いシール幅ｒ４を有する。
【００２８】
帯状シール部１８ｆ、蒸気抜きシール部１８ｅの各部の寸法を例示する。例えば、蒸気抜きシール部１８ｅと帯状シール部１８ｆを合わせたシール部の長さＬ１は、５０ｍｍ以上４００ｍｍ以下に設定される。この場合、第１のＶ字部３０の開き角θ１は６０°以上１５０°以下、第２のＶ字部４０の開き角θ２は９０°以上１７０°以下が好適である。また、帯状シール部１８ｆのシール幅ｒ１は、フラップ１８の長さｈや後述するシール幅ｒ６を考慮し、５ｍｍ以上に設定される。シール幅ｒ２は１０ｍｍ以上２０ｍｍ以下が好適である。また、第１のＶ字部３０のシール幅ｒ３は２ｍｍ以上５ｍｍ以下、連続する位置Ｐ２におけるシール幅ｒ４は、蒸気口形成や開封に対し直接力が加わる部分ではないが、設計上最低減の厚みは持たせる必要があり、０．５ｍｍ以上が好適である。また、直線部４１ｂにおける第２のＶ字部４０のシール幅ｒ５は、シール幅ｒ３と同等レベルであり、２ｍｍ以上５ｍｍ以下が好適である。また、蒸気口先端高さｒ６は、シール幅ｒ２よりも小さく設定することが好適である。
【００２９】
第２のＶ字部４０の内側輪郭線４１の直線部４１ｂの長さＬ２は、１ｍｍ以上６ｍｍ以下が好適である。また、第２のＶ字部４０の外側輪郭線４２（直線部４２ａ）の長さＬ３は、直線部４１ｂの長さＬ２よりも大きく設定される。また、この外側輪郭線４２の長さＬ３は、従来の直線部１０２ｂの一般的な長さＬ４（図６（ｂ）参照）が３ｍｍ程度であるのに対し、５ｍｍ以上２０ｍｍ以下に設定される。
【００３０】
次に、蒸気抜きシール部１８ｅの好適なシール強度について述べる。外側輪郭線４２の長さＬ３が大きいほど、蒸気抜きシール部１８ｅを剥離（破壊）させるために必要な蒸気圧も高くなる。このため、蒸気抜きシール部１８ｅにおけるヒートシール強度は、外側輪郭線４２の長さＬ３に応じて適切な大きさに設定する必要がある。本実施形態では、外側輪郭線４２の長さＬ３を比較的長く設定することから、蒸気抜きシール部１８ｅにおけるヒートシール強度（ＪＩＳ  Ｚ０２３８に準拠）を通常よりも低く（例えば、５（Ｎ／１５ｍｍ幅）以上４０（Ｎ／１５ｍｍ幅）以下）に設定して、蒸気抜きシール部１８ｅを蒸気圧によって円滑に剥離させる。
【００３１】
（電子レンジ用包装袋の作用）
電子レンジ用包装袋１０の作用を図３（ｃ）、図４に基づいて説明する。電子レンジ用包装袋１０では、電子レンジで内容物の水分が加熱されて収容部１７の蒸気圧が上昇すると、収容部１７が膨張する。
【００３２】
これにより、図３（ｃ）に示すように、第２のＶ字部４０における内側輪郭線４１の直線部４１ｂに力が集中的に加わるため、内側輪郭線４１の直線部４１ｂから蒸気抜きシール部１８ｅの剥離が始まり、内側輪郭線４１から外側輪郭線４２に向かって第２のＶ字部４０が剥離する。この蒸気抜きシール部１８ｅにおける剥離が外側輪郭線４２を超えると、蒸気が抜けるが、連続する位置Ｐ２付近から残圧でさらに左右に開いていく。そして、シール幅が急激に広くなりつつ、収容部１７の内圧とのバランスがとれた位置において剥離が停止する。すなわち、蒸気抜きシール部１８ｅでは、第１のＶ字部３０は、ほとんど剥離されず（残存し）、蒸気口５１を開口させるための補助部分として機能し、第２のＶ字部４０は、完全に剥離され、蒸気口５１を形成する部分として機能する。その結果、外側輪郭線４２の長さＬ３に応じて広く開口した蒸気口５１が得られる。
【００３３】
そして、図４に示すように、収容部１７から蒸気口５１を通じて抜けた蒸気は、切り込み１８ｇ及び未シール部２３ａを介してフラップ１８の内部から外部に排出される。
【００３４】
（実施形態の効果）
以上、説明した実施形態の効果について述べる。本実施形態によれば、内容物の沸点が高く、蒸気圧が高まりにくい場合であっても、蒸気抜きシール部１８ｅを円滑に剥離させ、広く開口した蒸気口５１から蒸気を良好に排出可能な電子レンジ用包装袋１０を提供することができる。
【００３５】
（電子レンジ用包装袋の他の例）
次に、電子レンジ用包装袋の他の例を図５に基づいて説明する。前述した電子レンジ用包装袋１０（図１参照）では、第１フィルム１１の一部を合掌状に折り曲げて形成したフラップ１８（図１参照）を例示したが、フラップの構成は任意に変更可能である。
【００３６】
例えば、図５に示すように、電子レンジ用包装袋６０では、複数（この例では、２枚）のフィルム６１，６２で第１フィルム１１（図１参照）に相当する表側のフィルムを構成し、これら２枚のフィルム６１，６２を部分的に重ねて合掌状に貼り合させることにより、フラップ６３を形成する。そして、このようなフラップ６３に異形Ｖ字形状の蒸気抜きシール部１８ｅ（図３参照）を設ける。この場合、未シール部２３ａ（図４参照）及び切り込み１８ｇ（図４参照）は必ずしも必要なく、蒸気口５１（図３参照）からの蒸気は、フラップ６３における２枚のフィルム６１，６２の開放した端部６５を介してフラップ６３の内部から外部に排出することができる。
【００３７】
このように構成される電子レンジ用包装袋６０においても、前述した電子レンジ用包装袋１０（図２参照）と同様に、内容物の沸点が高く、蒸気圧が高まりにくい場合であっても、蒸気抜きシール部１８ｅを円滑に剥離させ、広く開口した蒸気口５１から蒸気を良好に排出することができる。
【００３８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００３９】
１０      電子レンジ用包装袋
１１      第１フィルム
１２      第２フィルム
１８      フラップ
２０      本体
３０      第１のＶ字部
３１      斜辺
３２      斜辺の内側輪郭線
３３      斜辺の外側輪郭線
３５      仮想先端部
４０      第２のＶ字部
４１      内側輪郭線
４１ａ    傾斜部
４１ｂ    直線部
４２      外側輪郭線
４２ａ    直線部
４３      仮想先端部
５１      蒸気口
６０      電子レンジ用包装袋
６１      フィルム
６２      フィルム
６３      フラップ
Ｐ２      連続する位置
Ｌ２      内側輪郭線の直線部の長さ
Ｌ３      外側輪郭線の長さ
【図１】
0006492592.tif 000002
【図２】
0006492592.tif 000003
【図３】
0006492592.tif 000004
【図４】
0006492592.tif 000005
【図５】
0006492592.tif 000006
【図６】
0006492592.tif 000007